【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
円筒ハウジングと、
両端にシール板が取り付けられたスパイラル型膜エレメントと、
を備え、
前記スパイラル型エレメントは、非エラストマー材料から構成されている少なくとも１つのスプリットリングシールであって、前記シール板の外面に位置する溝内に設けられ、隙間を有する環状のスプリットリングシールを備え、
前記スプリットリングシールは、圧縮前には、前記円筒ハウジングの内面の直径よりも大きい外径を有し、前記隙間は、圧縮されることで、円筒ハウジング内に挿入できるように環状リングが変形するように閉じる、
ろ過システム。
【請求項２】
前記隙間の幅は、少なくとも１つの環が溝内に取り付けられてシール板が円筒ハウジング内に挿入されるときに、漏れを許容するように選択される請求項１に記載のろ過システム。
【請求項３】
1つのシール板に複数のスプリットリングシールが装着される請求項１または２に記載のろ過システム。 
【請求項４】
隣接するスプリットリングの隙間の重なり合いを回避するように、複数のスプリットリングシールのそれぞれが位置合わせされる請求項３のろ過システム。 
【請求項５】
それぞれのスプリットリングシールに設けられた位置決め要素を使用して、隣接する一対のスプリットリングシールが位置合わせされる請求項４のろ過システム。
【請求項６】
位置決め要素は、溝、ピン、穴、及び、スロットのうちの１つ以上を含む請求項５のろ過システム。
【請求項７】
非エラストマー材料が、硬質及び／又は硬化ポリマー、金属、ならびにセラミックの群から選ばれる少なくとも１つの材料である、請求項１〜６のいずれかのろ過システム。
【請求項８】
両端にシール板が取り付けられたスパイラル型膜エレメントであって、
前記シール板の外面に位置する溝内には、非エラストマー材料から構成され、隙間を有する環状のスプリットリングシールが設けられ、
前記スプリットリングシールは、圧縮前には、前記円筒ハウジングの内面の直径を超える外径を有し、前記隙間は、圧縮されることで、環状リングが変形するように閉じる、
スパイラル型エレメント。
【手続補正２】
【補正対象書類名】明細書
【補正対象項目名】発明の名称
【補正方法】変更
【補正の内容】
【発明の名称】ろ過システムおよびスパイラル型エレメント
【手続補正３】
【補正対象書類名】明細書
【補正対象項目名】０００８
【補正方法】変更
【補正の内容】
【０００８】
上記課題を解決するため、本発明のろ過システムは次の構成を有する。すなわち、
円筒ハウジングと、
両端にシール板が取り付けられたスパイラル型膜エレメントと、
を備え、
前記スパイラル型エレメントは、非エラストマー材料から構成されている少なくとも１つのスプリットリングシールであって、前記シール板の外面に位置する溝内に設けられ、隙間を有する環状のスプリットリングシールを備え、
前記スプリットリングシールは、圧縮前には、前記円筒ハウジングの内面の直径よりも大きい外径を有し、前記隙間は、圧縮されることで、円筒ハウジング内に挿入できるように環状リングが変形するように閉じる、
ろ過システム、である。
【手続補正４】
【補正対象書類名】明細書
【補正対象項目名】０００９
【補正方法】変更
【補正の内容】
【０００９】
上記課題を解決するため、本発明のスパイラル型エレメントは次の構成を有する。すなわち、
両端にシール板が取り付けられたスパイラル型膜エレメントであって、
前記シール板の外面に位置する溝内には、非エラストマー材料から構成され、隙間を有する環状のスプリットリングシールが設けられ、
前記スプリットリングシールは、圧縮前には、前記円筒ハウジングの内面の直径を超える外径を有し、前記隙間は、圧縮されることで、環状リングが変形するように閉じる、
スパイラル型エレメント、である。
【手続補正５】
【補正対象書類名】明細書
【補正対象項目名】００１０
【補正方法】変更
【補正の内容】
【００１０】
本発明のろ過システムは、前記隙間の幅は、少なくとも１つの環が溝内に取り付けられてシール板が円筒ハウジング内に挿入されるときに、漏れを許容するように選択されることが好ましい。
本発明のろ過システムは、1つのシール板に複数のスプリットリングシールが装着されることが好ましい。
本発明のろ過システムは、隣接するスプリットリングの隙間の重なり合いを回避するように、複数のスプリットリングシールのそれぞれが位置合わせされることが好ましい。
【手続補正６】
【補正対象書類名】明細書
【補正対象項目名】００１１
【補正方法】変更
【補正の内容】
【００１１】
本発明のろ過システムは、それぞれのスプリットリングシールに設けられた位置決め要素を使用して、隣接する一対のスプリットリングシールが位置合わせされることが好ましい。
本発明のろ過システムは、位置決め要素は、溝、ピン、穴、及び、スロットのうちの１つ以上を含むことが好ましい。
本発明のろ過システムは、非エラストマー材料が、硬質及び／又は硬化ポリマー、金属、ならびにセラミックの群から選ばれる少なくとも１つの材料であることが好ましい。
【手続補正７】
【補正対象書類名】明細書
【補正対象項目名】００２１
【補正方法】変更
【補正の内容】
【００２１】
本発明の特定の実施形態は、濾過システムのためのシール部材を備える。ここに開示されるシールは、Ｏリング、山形シール及びＵカップシールなどを含む従来のエラストマーシールの代替物としての役目をそれが果たすことができるようにする寸法を伴って構成され得る。再び図１Ａ−１Ｃを参照すると、本発明の特定の実施形態は、従来のシール板１２に嵌め付けられてもよいスプリットリングシールを、圧縮性のエラストマーシールを受ける径方向溝１６内に備える。以下で更に詳しく説明されるように、ここに開示されるスプリットリングシールは、一般に、剛性、弾力性、不活性、作動温度範囲に耐えることができる能力、作動圧力に耐えることができる能力、および濾過システムの構造（例えば、ハウジング１０の内面）で使用される材料との摩擦係数を考慮して選択される材料を使用して構成される。材料は用途にしたがって選択することができ、また、例えば、本発明の特定の態様にしたがって構成されるシールは、従来のエラストマーシールが作用する水圧に耐えることができない８インチ又は１６インチ濾過システムで使用できる。
【手続補正８】
【補正対象書類名】明細書
【補正対象項目名】００４０
【補正方法】変更
【補正の内容】
【００４０】
本発明の特定の実施形態は、濾過システムのためのラジアルシールを備える。これらの実施形態の幾つかは、外周と、内周と、厚さとを有する１つ以上の環を備える。これらの実施形態の幾つかにおいて、各環は、シール板の外面の溝に嵌り込むように選択される内周の直径を有する。これらの実施形態の幾つかにおいて、各環は、シール板を受ける円筒ハウジングの内面の直径よりも大きくなるように選択される外周の直径を有する。これらの実施形態の幾つかにおいて、各環は、少なくとも１つの環の半径方向に沿って中心をもつリングの環に隙間を有する。これらの実施形態の幾つか、この隙間は、円筒ハウジング内への少なくとも１つの環の挿入を許容するように十分に環状部材が変形できるように選択された幅を有する。
【手続補正９】
【補正対象書類名】明細書
【補正対象項目名】００４３
【補正方法】変更
【補正の内容】
【００４３】
本発明の特定の実施形態は、濾過システムの円筒ハウジング内へ挿入されるスパイラル型膜エレメントを提供する。これらの実施形態の幾つかは、スパイラル型膜エレメントのシール板の外面に位置する溝内に少なくとも１つのスプリットリングシールを設けるステップを含む。これらの実施形態の幾つかにおいては、スプリットリングシールが円筒ハウジングの内面の直径を超える外径を有する。これらの実施形態の幾つかは、シールリングを円筒ハウジング内に挿入するステップを含む。これらの実施形態の幾つかにおいては、シールリングの挿入が少なくとも１つのスプリットリングシールを圧縮するステップを含む。
【手続補正１０】
【補正対象書類名】明細書
【補正対象項目名】００４５
【補正方法】変更
【補正の内容】
【００４５】
本発明の特定の実施形態は、濾過エレメントと濾過システムのハウジングとの間のシールを維持するためのスプリットリングシールを備える。これらの特定の実施形態は、不連続部を有する剛体の環を備える。特定の実施形態において、環は、環が濾過エレメントの外面に設けられる溝に嵌ることができるように選択される内径を有する。特定の実施形態において、環は、ハウジングの内面の直径よりも大きくなるように選択される外面を有する。特定の実施形態において、不連続部は、ハウジング内への濾過エレメントの挿入中に受けられる圧縮力に応じた環の内外径の減少を受け入れる。特定の実施形態において、環は、圧縮力に応じたその断面形状の変化に抵抗するように構成される。特定の実施形態では、不連続部が階段形状チャンネルを環に備え、階段形状チャンネルは、濾過システムを通じた流体の軸方向流れの圧力下でほぼ閉じられる。特定の実施形態において、不連続部は、環に形成される２つの階段状の端部の重なり合いによって形成される。特定の実施形態において、環は、濾過エレメントとハウジングとの間のシールを維持し且つ軸方向流れの方向に関係なく濾過システムを通じた流体の軸方向流れに抵抗するように構成される。特定の実施形態において、シールは、濾過中に、濾過エレメントの周囲及び濾過エレメントとハウジングとの間の空間内への流体の迂回に抵抗するように作用する。特定の実施形態において、シールは、洗浄中、濾過エレメントの周囲及び濾過エレメントとハウジングとの間の空間内へのフラッシング流体の迂回に抵抗するように作用する。